(57)【要約】      （修正有）【課題】着衣者の見栄え及び演技を損なうことなく、パッドの出し入れかつ位置変更が容易で、新体操で保護が必要とされる身体の一部を効果的に保護することができる新体操用練習衣装を提供する。【解決手段】身体に密着するように伸縮性を有する生地で形成された被服部１と、被服部１の裏側に設けられたポケット部２とを備え、ポケット部２は、上半身の骨格又は骨格筋に対応する位置に配置され、緩衝用のパッドＰを出し入れ自在な開口縁２ａを有するように伸縮性を有する生地を縫合して形成してある。ポケット部２が、パッドＰの表面積よりも広い表面積を有する。さらに、ポケット部２の開口縁２ａに対して開閉自在なポケット蓋部３を備え、ポケット蓋部３の開口縁が、ポケット部２の開口縁２ａに沿って配置されている。【選択図】図１
0003218276.tif 000002
【実用新案登録請求の範囲】
【請求項１】
身体に密着するように伸縮性を有する生地で形成された被服部と、
前記被服部の裏側に設けられたポケット部とを備え、
前記ポケット部は、前記身体の骨格又は骨格筋に対応する位置に配置され、緩衝用のパッドを出し入れ自在な開口縁を有するように伸縮性を有する生地を縫合して形成してある
ことを特徴とする新体操用練習衣装。
【請求項２】
前記ポケット部が、前記パッドの表面積よりも広い表面積を有する
ことを特徴とする請求項１に記載の新体操用練習衣装。
【請求項３】
前記ポケット部の開口縁に対して開閉自在なポケット蓋部をさらに備え、
前記ポケット蓋部の開口縁が、前記ポケット部の開口縁に沿って配置されている
ことを特徴とする請求項１又は２に記載の新体操用練習衣装。
【請求項４】
前記被服部が、上記身体の上半身に密着し、
前記ポケット部が、上記上半身の少なくとも首の付け根、背中、肩、腰、及び背中に対応する位置に配置してある
ことを特徴とする請求項１乃至３のいずれか一項に記載の新体操用練習衣装。
【請求項５】
前記被服部が、上記身体の下半身に密着し、
前記ポケット部が、上記下半身の少なくとも腰骨、大殿筋、恥骨、及び尾骨に対応する位置に配置してある
ことを特徴とする請求項１乃至３のいずれか一項に記載の新体操用練習衣装。
【考案の詳細な説明】
【技術分野】
【０００１】
本考案は、緩衝用のパッドを出し入れ自在な新体操用練習衣装に関する。
【背景技術】
【０００２】
従来から、例えば、選手同士が衝突するラグビーや転倒などで地面に衝突するスキーのようなスポーツに対し、身体の一部を保護するために緩衝用のパッドが搭載された衣服があった。緩衝用のパッドは、突発的に飛び出したり抜け落ちたりしないように、被服に設けられたポケットに常時搭載されていた。しかしながら、パッドの修理や交換時には、ポケットを開封する手間がかかっていた。
【０００３】
そこで、特許文献１には、パッドを簡単に出し入れできるのみならず、不用意に落ちることを防止するポケットを有する衣服が開示されている。詳細には、開口を有するように衣服の裏面に縫合した第１ポケット布と、開口を有するように第１ポケット布の開口に重ねて縫合した第２ポケット布とでポケットを形成し、第１ポケット布の開口縁と第２ポケット部の開口縁とが傾斜して重なることで、ポケット内のパッドを確実に保持すると共に、容易に出し入れできるものである。
【先行技術文献】
【特許文献】
【０００４】
【特許文献１】特開２０１７−２１０７００号公報
【考案の概要】
【考案が解決しようとする課題】
【０００５】
しかしながら、上述した特許文献１では、第１ポケット布と第２ポケット布との二重部分の幅の広いところと狭いところとがあるため、パッドの出し入れを工夫しなければならない。すなわち、二重部分の幅の広いところからパッドを出し入れするには、狭いところと比べて第１ポケット布又は第２ポケット布をめくる量が相対的に多くなる。一方、ポケットの向きによっては、二重部分の幅の狭いところからではパッドを出し入れしにくいこともある。
【０００６】
また、パッドが収容されたポケットは他の部分より厚いため剛性が高いのみならず、ポケットの縫い代部分が生地の伸縮の妨げとなる恐れがあるため、特許文献１のように、ポケットが点在している衣服ほど身体を動かしにくい。そのため、新体操の演技上、例えば、床で前転して強打しやすかったり運動量が多く身体と摩擦しやすかったりする部位に、着衣者が任意でパッドを容易に出し入れかつ位置変更できる構造が練習用の衣装に適している点に発明者等は辿り着いた。
【０００７】
そこで本考案の目的は、着衣者の見栄え及び演技を損なうことなく、パッドの出し入れかつ位置変更が容易で、新体操で保護が必要とされる身体の一部を効果的に保護することができる新体操用練習衣装を提供することにある。
【課題を解決するための手段】
【０００８】
上記課題を解決するために、本考案による新体操用練習衣装は、身体に密着するように伸縮性を有する生地で形成された被服部と、上記被服部の裏側に設けられたポケット部とを備え、上記ポケット部は、上記身体の骨格又は骨格筋に対応する位置に配置され、緩衝用のパッドを出し入れ自在な開口縁を有するように伸縮性を有する生地を縫合して形成してあることを特徴とする。
【０００９】
上記ポケット部が、上記パッドの表面積よりも広い表面積を有することが望ましい。
【００１０】
上記ポケット部の開口縁に対して開閉自在なポケット蓋部をさらに備え、上記ポケット蓋部の開口縁が、上記ポケット部の開口縁に沿って配置されていることが望ましい。
【００１１】
上記被服部が、上記身体の上半身に密着し、上記ポケット部が、上記上半身の少なくとも首の付け根、背中、肩、腰、及び背中に対応する位置に配置してあることが望ましい。
【００１２】
上記被服部が、上記身体の下半身に密着し、上記ポケット部が、上記下半身の少なくとも腰骨、大殿筋、恥骨、及び尾骨に対応する位置に配置してあることが望ましい。
【考案の効果】
【００１３】
本考案による新体操用練習衣装は、着衣者の見栄え及び演技に支障をきたすことなく、パッドの出し入れかつ位置変更が容易で、新体操で保護が必要とされる身体の一部を効果的に保護することができる。
【図面の簡単な説明】
【００１４】
【図１】本考案の一実施形態における新体操用練習衣装を示す表側の（ａ）正面図、（ｂ）背面図である。
【図２】図１に示す新体操用練習衣装のＸ部分の裏側における（ａ）通常時、（ｂ）パッドの挿入時の拡大図である。
【図３】本考案の一実施形態における別の新体操用練習衣装を示す表側の（ａ）正面図、（ｂ）背面図である。
【考案を実施するための形態】
【００１５】
図１及び図２を参照しつつ、本考案の新体操用練習衣装におけるトップス（以下、「本トップス」ともいう。）の概要及び詳細な構造を説明する。
なお、これらの図において、複数個存在する同一の部位については、一つの部位のみに符番し、重複する部位については省略することがある。見えない部分については、この部分やこの引出線を破線で示す。
【００１６】
図１に示すように、本トップスは、身体の上半身に密着するように伸縮性を有する生地で形成された上半身用の被服部１と、被服部１の裏側に設けられたポケット部２とを備え、ポケット部２は、上半身の骨格又は骨格筋に対応する位置に配置され、緩衝用のパッドＰを出し入れ自在な開口縁２ａを有するように伸縮性を有する生地を縫合して形成してある。
この構成によれば、着衣された状態で、例えば、床に強打したり擦ったりする首の付け根及び背中に対応する位置にのみポケット部２が設けられており、被服部１に対してパッドＰにより剛性が高くなる部分、凸凹している部分、及びポケット部２の縫い代部分を最小限に抑えられるため、衣装にとって新体操の演技に必要な伸縮性及び柔軟性のみならず、表面上の見栄えを確保することができる。
【００１７】
ポケット部２が、パッドＰの表面積よりも広い表面積を有する。
この構成によれば、新体操の演目や着用者の特徴等によって異なる緩衝すべき部分に対して、ポケット部２の範囲内であればパッドＰを自由に動かせるため、より効果的に身体を保護することができる。
【００１８】
さらに、ポケット部２の開口縁２ａに対して開閉自在なポケット蓋部３を備え、ポケット蓋部３の開口縁３ａが、ポケット部２の開口縁２ａに沿って配置されている。
この構成によれば、新体操の演目に関わらずポケット蓋部３がポケット部２からパッドＰの落下を確実に防ぐのみならず、ポケット部２の開口縁のみにポケット蓋部３が重なるため、被服部１とポケット部２とポケット蓋部３との三重部分の面積を最小限に抑えられると共に、開口縁沿いのどこからであればパッドの出し入れを容易に行うことができる。
【００１９】
次に、本トップスの詳細を説明する。
【００２０】
被服部１は、縫い代部１１ｃ，１１ｃで縫合された前身頃１１ａ及び後身頃１１ｂを有する本体部１１と、本体部１１の上端の開口縁に沿って設けられた襟ぐり部１２と、前身頃１１ａ側の縫い代部１３ａ及び後身頃１１ｂ側の縫い代部１３ｂで本体部１１に縫合され、かつ縫い代部１３ｃで筒状に縫合された半袖状の袖部１３と、本体部１１の下端に設けられた裾部１４とを備えている。
着衣された状態で、本体部１１は首の付け根、背中、胸、腹、及び腰を被い、袖部１３は肩及び上腕を被い、縫い代部１１ｃは脇下から脇腹に設けられ、縫い代部１３ａ及び縫い代部１３ｂは首の付け根から脇に向かって傾斜状に設けられ、縫い代部１３は脇下から上腕の裏側に設けられている。
なお、被服部１は、袖部１３，１３を備えていないノースーリーブ構造や、長袖状の袖部１３を採用してもよい。本体部１１と袖部１３とは、一枚の生地で一体的に形成されていてもよい。縫い代部１３ａ及び縫い代部１３ｂは、被服部１に対して垂下して設けられていてもよい。
【００２１】
ポケット部２は、被服部１と同等の生地を被服部１の裏側から縫合して形成された空間が該当し、後身頃１１ｂの裏側かつ上側に設けられた第１ポケット部２１と、袖部１３の裏側に設けられた第２ポケット部２２と、後身頃１１ｂの裏側かつ下側に設けられた第３ポケット部２３とを有する。
【００２２】
第１ポケット部２１は、縫い代部１３ｂ，１３ｂと、縫い代部１３ｂ，１３ｂの略中間の高さに位置する縫い代部２１ｂと、襟ぐり部１２の上端より下方の高さに位置して縫い代部１３ｂ，１３ｂに通じる開口縁２１ａとで囲まれた範囲である。
着衣された状態で、第１ポケット部２１は、首の付け根、肩甲骨同士の間、及び背中の上側に対応する位置に配置されている。
この構成によれば、縫い代部１３ｂ，１３ｂを活かして第１ポケット部２１を縫合できる。開口縁２１ａは、襟ぐり部１２に近接して配置されており、着衣したままでもパッドＰを挿入したりずらしたりしやすいのみならず、落下しにくい。
【００２３】
第２ポケット部２２は、縫い代部１３ａと、縫い代部１３ｂと、縫い代部１３ｃと、袖ぐり部１３ｄの縫い代と、襟ぐり部１２の上端より下方の高さに位置して縫い代部１３ａ及び１３ｂに通じる開口縁２２ａとで囲まれた範囲である。
着衣された状態で、第２ポケット部２２は、首の付け根から肩を経由して上腕までの間に対応する位置に配置されている。
この構成によれば、縫い代部１３ａ、縫い代部１３ｂ、縫い代部１３ｃ、及び袖ぐり部１３ｄの縫い代を活かして第２ポケット部２２を縫合できる。開口縁２２ａは、襟ぐり部１２に近接して配置されており、着衣したままでもパッドＰを挿入したりずらしたりしやすいのみならず、落下しにくい。
【００２４】
第３ポケット部２３は、縫い代部２１ｂと、縫い代部１３ｂ，１３ｂと、縫い代部１１ｃ，１１ｃと、裾部１４より上方の高さに位置する湾曲状の縫い代部２２ｂと、縫い代部１１ｃ，１１ｃと縫い代部２２ｂとに通じる斜め下向きかつ直線状の開口縁２３ａ，２３ａとで囲まれた範囲である。開口縁２３ａ，２３ａの両端より内側はステッチ等で結合されており、開口縁２３ａ，２３ａの幅より実際の開口の幅を狭くすることで、パッドＰの落下や飛び出しを予防している。
着衣された状態で、第３ポケット部２３は、肩甲骨より下側の背中から腰部までの間に対応する位置に配置されている。
この構成によれば、縫い代部１３ｂ，１３ｂ及び縫い代部１１ｃ，１１ｃを活かして第３ポケット部２３を縫合できる。開口縁２３ａ，２３ａは、後身頃１１ｂの両端に配置されており、着衣したままでもパッドＰを挿入したりずらしたりしやすいのみならず、落下しにくい。
【００２５】
ポケット部２の各々とパットＰとの表面積比は、１：１でもよいが、２：１〜６：１が好ましく、表面積比が２：１より小さいとポケット部２内でパットＰの位置を変更しにくくなり、６：１より大きいとパットＰの挿入数を多くしなければ保護しきれない。換言すれば、ポケット部２に対してパットＰは１つでもよいが、２〜４つが好ましい。
なお、パットＰの形状は、長方形，正方形，楕円形，又は円形でもよく、パットＰの各々のサイズは、同等でも相違していてもよい。
【００２６】
ポケット蓋部３は、被服部１及びポケット部２の各々と同等の生地を被服部１の裏側から縫合して形成されており、第１ポケット部２１の開口縁２１ａを閉じる第１ポケット蓋部３１と、第２ポケット部２２の開口縁２２ａを閉じる第２ポケット蓋部３２とを有する。
第１ポケット蓋部３１は、襟ぐり部１２の外周縁の縫い代と、縫い代部１３ｂ，１３ｂとに縫合されており、第１ポケット部２１の開口縁２１ａと平行に重なるように開口縁３１ａを配置してある。
第２ポケット蓋部３２は、襟ぐり部１３の外周縁の縫い代と、縫い代部１３ａと、縫い代部１３ｂとに縫合されており、第２ポケット部２２の開口縁２２ａと重なるように開口縁３２ａを配置してある。
第１ポケット部２１の開口縁２１ａと第１ポケット蓋部３１の開口縁３１ａとの両端より内側及び第２ポケット部２２の開口縁２２ａと第２ポケット蓋部３２の開口縁３２ａとの両端より内側は結合されており、開口縁２１ａ及び開口縁２２ａの幅より実際の開口の幅を狭くすることで、パッドＰの落下や飛び出しを予防している。
【００２７】
第１ポケット部２１の開口縁２１ａ、第２ポケット部２２の開口縁２２ａ、第３ポケット部２３ａ，２３ａ、第１ポケット蓋部３１の開口縁３１ａ、及び第２ポケット蓋部３２の開口縁３２ａには、他の部分とは異なる蛍光色等の糸が縫合してあり、パッドＰの出し入れ口を目立たせている。
【００２８】
ここで、図２を参照しつつ、ポケット部２及びポケット蓋部３の使用状態について説明する。
通常時には、ポケット蓋部３が、ポケット部２の開口縁２ａに対して、ポケット蓋部３の開口縁３ａを平行に沿って被さっている。ポケット部２の開口縁２ａとポケット蓋部３の開口縁３ａとの両端より内側が、ステッチＳで結合されている。
パッドの挿入時には、ポケット蓋部３の開口縁３ａをめくると、ステッチＳより内側の第１ポケット部２の開口縁２ａが露出する。
【００２９】
被服部１、ポケット部２の各々、及びポケット蓋部３の各々を形成する生地は、ポリエステル等の熱可塑性樹脂を原料とし、表層非結晶部分に弾性高分子樹脂を結合させて弾性及び伸縮性を有するのみならず、地肌に対して滑りやすいものが好ましい。
パッドＰを形成する生地は、ポリエステル等の熱可塑性樹脂を原料とし、被服部１及びポケット部２の各々の厚さと同等又はこれ以上の厚さで所望の緩衝効果を奏するものが好ましく、被服部１及びポケット部２の各々に対して滑りにくい微細な凹凸形状で表面が形成されていることがより好ましい。
【００３０】
なお、被服部１、ポケット部２及びポケット蓋部３のサイズや形状、被服部１に対するポケット部２及びポケット部２に対するポケット蓋部３の位置、大きさ、及び範囲に限定はなく、本トップスの主旨を逸脱しない限り、いずれもよい。
【００３１】
次に、図３を参照しつつ、本考案の新体操用練習衣装におけるスパッツ（以下、「本スパッツ」ともいう。）の概要及び詳細な構造について、上述した本トップスと異なる部分のみ説明し、説明していない部分は本トップスと同等の構造及び作用効果を奏するものとする。
なお、図１で示した部品又は部位と同等、類似、又は関連する構造及び作用効果を奏するものは、参照を容易にする等のため、図３において一律１００を加えた番号にしている。
【００３２】
図３に示すように、本スパッツは、身体の下半身に密着するように伸縮性を有する生地で形成してある下半身用の被服部１０１と、被服部１０１の裏側に設けてあるポケット部１０２とを備え、ポケット部１０２は、下半身の骨格又は骨格筋に対応する位置に配置され、緩衝用のパッドＰを出し入れ自在な開口縁１０２ａを有するように伸縮性を有する生地を縫合して形成してある。さらに、ポケット部１０２の開口縁１０２ａに対して開閉自在なポケット蓋部１０３を備え、ポケット蓋部１０３が、ポケット部１０２の開口縁に沿うように伸縮性を有する生地を縫合して形成してある。
【００３３】
被服部１０１は、縫い代部１１１ｃ，１１１ｃでのみ縫合され、かつ前後一体的に形成された前身頃１１１ａ，１１１ａ及び後身頃１１１ｂ，１１１ｂを有する本体部１１１と、ゴム及び／又は紐を有して本体部１１１の上端に設けられたウエスト部１１２と、前身頃１１１ａ，１１１ａ側の縫い代部１１３ａ，１１３ａと縫い代部１１１ｃ，１１１ｃの上端部分で本体部１１１に縫合された前中心部１１３と、後身頃１１１ｂ，１１１ｂ側の縫い代部１１４ａ，１１４ａと縫い代部１１１ｃ，１１１ｃの上端部分で本体部１１１に縫合された後中心部１１４とを備えている。
着衣された状態で、本体部１１１は前中心部１１３及び後中心部１１４より外側の腰骨や大殿筋を含む股上から両足の大腿を経由して膝下までを被い、前中心部１１３は恥骨を被い、後中心部１１４は尾骨を被い、縫い代部１１１ｃ，１１１ｃは股から両足の内腿を経由して膝下まで設けられ、縫い代部１１３ａ，１１３ａは股から両方の股関節を経由して傾斜状に設けられ、縫い代部１１４ａ，１１４ａは股から坐骨を経由して傾斜状に設けられている。
【００３４】
ポケット部１０２は、本体部１１１の裏側の左右各々に設けられた第１ポケット部１２１と、前中心部１１３の裏側に設けられた第２ポケット部１２２と、後中心部１１４の裏側に設けられた第３ポケット部１２３とを有する。
【００３５】
第１ポケット部１２１は、縫い代部１１１ｃと、縫い代部１１３ａと、縫い代部１１４ａと、縫い代部１１１ｃの中間より上側の高さに位置する縫い代部１２１ｂと、ウエスト部１１２より下方の高さに位置して縫い代部１１３ａ及び縫い代部１１４ａに通じる開口縁１２１ａとで囲まれた範囲である。
着衣された状態で、第１ポケット部１２１は、腰骨や大殿筋を含む股上から大腿を経由して膝上に対応する位置に配置されている。
【００３６】
第２ポケット部１２２は、縫い代部１１３ａ、１１３ａと、ウエスト部１１２より下方の高さに位置して縫い代部１１３ａ，１１３ａに通じる開口縁１２２ａとで囲まれた範囲である。開口縁１２２ａは、開口縁１２１ａと同等の高さに位置している。
着衣された状態で、第２ポケット部１２２は、恥骨を含む股関節より内側に対応する位置に配置されている。
【００３７】
第３ポケット部１２３は、縫い代部１１４ａ、１１４ａと、ウエスト部１１２より下方の高さに位置して縫い代部１１４ａ，１１４ａに通じる開口縁１２３ａとで囲まれた範囲である。開口縁１２３ａは、開口縁１２１ａ及び開口縁１２２ａと同等の高さに位置している。
着衣された状態で、第３ポケット部１２３は、坐骨を含む大殿筋より内側に対応する位置に配置されている。
【００３８】
ポケット蓋部１０３は、第１ポケット部１２１の開口縁１２１ａを閉じる第１ポケット蓋部１３１と、第２ポケット部１２２の開口縁１２２ａを閉じる第２ポケット蓋部１３２と、第３ポケット部１２３の開口縁１２３ａを閉じる第３ポケット蓋部１３３とを有する。
第１ポケット蓋部１３１は、ウエスト部１１２の下端縁と、縫い代部１１３ａ及び縫い代部１１４ａとに縫合されており、第１ポケット部１２１の開口縁１２１ａと重なるように開口縁１３１ａを配置してある。
第２ポケット蓋部１３２は、ウエスト部１１２の下端縁の縫い代と、縫い代部１１３ａ，１１３ａとに縫合されており、第２ポケット部１２２の開口縁１２２ａと重なるように開口縁１３２ａを配置してある。
第３ポケット蓋部１３３は、ウエスト部１１２の下端縁の縫い代と、縫い代部１１４ａ，１１４ａとに縫合されており、第３ポケット部１２３の開口縁１２３ａと重なるように開口縁１３３ａを配置してある。
【符号の説明】
【００３９】
１、１０１      被服部
２（２１）、１０２（１２１）      ポケット部（第１ポケット部）
２ａ（２１ａ）、１０２ａ（１２１ａ）      ポケット部の開口縁（第１ポケット部の開口縁）
３（３１）、１０３（１３１）      ポケット蓋部（第１ポケット蓋部）
３ａ（３１ａ）、１０３ａ（１３１ａ）    ポケット蓋部の開口縁（第１ポケット蓋部の開口縁）
【図１】
0003218276.tif 000003
【図２】
0003218276.tif 000004
【図３】
0003218276.tif 000005